【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
バッチ方式で土を添加物と混合する混合システム（８００）であって、
−  前記土を添加物と混合する可動式混合装置（８２０）および前記混合装置（８２０）を移動させる手段と、
−  積載土を収容した荷体（８１０）を受け入れる荷体配置領域（８０１）と
を含み、
−  前記荷体配置領域（８０１）と、前記混合装置を移動させる前記手段（８２２）とは、所定の位置で、前記土を前記添加物と混合するために、前記混合装置（８２０）が前記荷体（８１０）内で前記荷体（８１０）の開口側から前記土中に少なくとも部分的に配置され得るように構成され、
−  前記混合システム（８００）は、前記積載土を収容した前記荷体（８１０）が、前記荷体配置領域（８０１）に配置されると、前記荷体の前記積載物の少なくとも１つの特性に関する情報を考慮しながら、前記混合システム（８００）が前記土を前記添加物と混合するのを可能にするように、前記荷体（８１０）の前記積載物の少なくとも１つの特性に関する前記情報と、前記荷体に関する情報とを自動的に取得する情報取得手段をさらに含み、前記情報取得手段は、前記荷体の内寸に関する情報を取得するように適応され、前記システムは、前記混合装置が、実質的に、前記荷体によって画定される空間全体を移動するように、前記混合装置を移動させる前記手段を制御する制御ユニットを含む、混合システム（８００）。
【請求項２】
前記可動式混合装置（８２０）を移動させる前記手段は、可動アーム（８２２）またはローラブリッジを含む、請求項１に記載の混合システム（８００）。
【請求項３】
地表面（ＧＮＤ）に対してプラットフォーム高さ（Ｈ）に配置されたプラットフォーム（８０５）をさらに含み、前記プラットフォーム高さは、前記荷体が前記地表面に配置されると、前記荷体（８１０）の上部開口側が、前記プラットフォーム高さ（Ｈ）より下に配置されるように選択され、前記混合装置（８２０）を移動させる前記手段は、前記プラットフォーム（８０５）に取り付けられる、請求項１または２に記載の混合システム（８００）。
【請求項４】
前記プラットフォーム（８０５）を前記地表面に対して支持するプラットフォーム支持体（８０６）を含み、前記プラットフォーム支持体（８０６）は、荷体（８１０）が前記プラットフォーム支持体（８０６）間で前記プラットフォーム（８０５）の下に配置され得るように、互いに対して間隔を置かれる、および／または前記プラットフォーム（８０５）と、前記混合装置（８２０）を移動させる前記手段とは、前記荷体が前記プラットフォーム（８０５）の脇に配置されると、荷体（８１０）内での混合を可能にするように構成される、請求項３に記載の混合システム（８００）。
【請求項５】
前記地表面（ＧＮＤ）と高所との間の移行部を提供する傾斜路、または塁壁、または岸壁をさらに含み、前記プラットフォーム（８０５）は前記高所に配置され、前記プラットフォーム（８０５）と、前記傾斜路または塁壁または岸壁とは、前記傾斜路または塁壁または岸壁に隣接して地表面に配置された荷体（８１０）内で混合を行うことができるように構成される、請求項４に記載の混合システム（８００）。
【請求項６】
可動式であり、それにより、建設現場の近くの位置に移動することができる、および／または、添加物供給手段と、前記荷体（８１０）内の前記土に加えられる少なくとも１つの添加物を調合または調量する調合装置または調量装置とをさらに含む、請求項１〜５のいずれか一項に記載の混合システム（８００）。
【請求項７】
前記添加物供給手段に原料を供給するための現地貯蔵器（８４０）をさらに含む、および／または、
外部貯蔵器から前記添加物供給手段に原料を供給するための供給チューブを含む、
請求項６に記載の混合システム（８００）。
【請求項８】
前記荷体（８１０）内での前記混合によって生じる粉塵から環境を保護する閉鎖体（８６０、８６１、８６２）をさらに含む、および／または
前記混合装置（８２０）は、１つもしくは複数の混合ホイール、および／または１つもしくは複数の粉砕ホイール、および／または１つもしくは複数の駆動軸、および／または１つもしくは複数のクラッパを含む、および／または、
前記混合装置（８２０）は、特に、ふるい分け作業のためのカム付き駆動軸を含む、
前記混合装置（８２０）は、駆動スプロケットホイール（３２０）、および／または油圧駆動体、および／または駆動チェーンを含む、
請求項１〜７のいずれか一項に記載の混合システム（８００）。
【請求項９】
前記調合装置および／または前記混合装置（８２０）を制御するために、前記荷体（８１０）の前記積載物に関する情報を受け取るセンサをさらに含む、請求項１〜８のいずれか一項に記載の混合システム（８００）。
【請求項１０】
前記センサは、タグから積載物情報を読み込むように適応される、請求項９に記載の混合システム（８００）。
【請求項１１】
前記混合システムは、前記荷体または前記荷体の積載物の重量を求めるために、前記プラットフォーム（８５０）の下または脇で実質的に地表面に配置された計量装置をさらに含み、および／または、
前記土の抵抗率を検出するか、または前記土の湿度を検出するか、または前記土の締め固め性を検出するか、またはそれらの組み合わせのためのセンサを含む、および／または、
前記荷体の位置を求めるように適応される、および／または、
前記土の追跡管理を可能にするために、前記土の出所、処理、および目的地を記録するようにさらに適応される、
請求項１〜１０のいずれか一項に記載の混合システム（８００）。
【請求項１２】
可動式混合装置（８２０）と、前記混合装置（８２０）を移動させる手段と、積載土を収容した荷体（８１０）を受け入れる荷体配置領域（８０１）と、前記荷体内の前記積載物の少なくとも１つの特性に関する情報および前記荷体に関する情報を取得する情報取得手段とを含む混合システムで土の土壌を処理する方法（１４００）であって、
−  積載土を収容した荷体（８１０）を前記荷体配置領域（８０１）に用意するステップ（１４０１）と、
−  前記情報取得手段を使用して、前記積載物の少なくとも１つの特性および前記荷体に関する情報を取得するステップ（１４０２）と、
−  前記取得された情報に基づき、かつ前記混合装置（８２０）を使用して、前記荷体内の前記土を添加物と混合するステップ（１４０３）と
を含み、
情報を取得することは、前記荷体の内寸に関する情報を取得することを含み、混合することは、混合装置が、実質的に、前記荷体によって画定される空間全体を移動するように混合することを含む、方法（１４００）。
【請求項１３】
積載土を収容した荷体を用意することは、積載土を荷体（８１０）に積載し、および前記荷体（８１０）を前記混合システム（８００）に運搬することを含む、請求項１２に記載の方法（１４００）。
【請求項１４】
可動式混合装置（８２０）と、前記混合装置（８２０）を移動させる手段と、積載土を収容した荷体（８１０）を受け入れる荷体配置領域（８０１）と、前記荷体内の前記積載物の少なくとも１つの特性に関する情報を取得する情報取得手段とを含む混合システムで土の土壌を処理する方法（１４００）であって、
−積載土を収容した荷体（８１０）を前記荷体配置領域（８０１）に用意するステップ（１４０１）と、
−前記情報取得手段を使用して、前記積載物の少なくとも１つの特性に関する情報を取得するステップ（１４０２）と、
−前記取得された情報に基づき、かつ前記混合装置（８２０）を使用して、前記荷体内の前記土を添加物と混合するステップ（１４０３）と
を含み、
前記混合システムは、地面より上の所定の高さに配置されたプラットフォーム（８０５）をさらに含み、前記混合装置（８２０）を移動させる前記手段は、前記プラットフォームに取り付けられ、前記荷体を用意することは、前記プラットフォーム（８０５）の下または脇に配置された前記荷体配置領域（８０１）に前記荷体を配置することをさらに含む、方法（１４００）。
【請求項１５】
−  前記添加物と混合された前記土を収容した前記荷体（８１０）を建設現場に運搬するステップを含む、および／または、
−  混合装置（８２０）を前記プラットフォーム（８０５）の直下または脇の前記荷体（８１０）内に降ろすステップを含む、および／または、
前記混合システムは、制御ユニットをさらに含み、前記荷体（８１０）の前記積載物に関する情報を前記混合システム（８００）の前記制御ユニットに読み込むステップと、前記取得された情報に基づき、前記加えられる添加物または前記行われる混合に関する情報を決定するステップとを含み、および／または、
情報を読み込むことは、前記荷体（８１０）上のタグから情報を読み込むこと、前記混合システムの計量装置から情報を読み込むこと、土壌の抵抗率を検出するセンサの情報を読み込むこと、前記土の湿度または前記土の締め固め性を検出するセンサの情報を読み込むことのうちの１つまたは複数を含む、
請求項１２〜１４のいずれか一項に記載の方法（１４００）。